(57)【要約】      （修正有）【課題】構造が簡単で、異なる直径を有するタワーとフランジとの接合を満たし、作業効率を向上できるタワーとフランジを縦方向に接合するためのフレーム装置を提供する。【解決手段】前後左右に配置されている四つの円弧体１を備えており、四つの円弧体が接続して円形構造になり、隣接する二つの円弧体同士は延伸組立体によって可動に接続される延伸機構と、円弧体の外縁に設けられる複数の台座組立体を備える台座機構と、を備えており、延伸組立体は、隣接する二つの円弧体を接続するコネクタ２を備えており、コネクタの両端は、それぞれ、円弧体内において可動に設けられており、コネクタは円弧状の構造であるとともに、円弧体と同心に設けられ、円弧体の両端の内壁には、それぞれ、均一に配列される複数のボール３が設けられ、コネクタの両端には、それぞれ、コネクタより突出する止め具４が設けられ、そして、円弧体の両端には、それぞれ、奥に窪んで配置される制限板５が設けられる。【選択図】図１
0003220738.tif 000002
【実用新案登録請求の範囲】
【請求項１】
タワーとフランジを縦方向に接合するためのフレーム装置であって、
前後左右に配置されている四つの円弧体を備えており、前記四つの円弧体が接続して円形構造になり、隣接する二つの円弧体同士は延伸組立体によって可動に接続される延伸機構と、
前記円弧体の外縁に設けられる複数の台座組立体を備える台座機構と、を備えており、
前記延伸組立体は、隣接する二つの円弧体を接続するコネクタを備えており、前記コネクタの両端がそれぞれ前記円弧体内において可動に設けられ、前記コネクタは円弧状の構造であるとともに、前記円弧体と同心に設けられ、前記円弧体の両端の内壁には、それぞれ、均一に配列される複数のボールが設けられ、前記コネクタの外側が前記ボールの内側において可動的に設けられ、前記コネクタの両端には、それぞれ、前記コネクタより突出する止め具が設けられ、そして、前記円弧体の両端には、それぞれ、奥に窪んで配置される制限板が設けられ、
前記台座組立体は、円弧体の両側に位置される台座と、前記台座の上に位置される支持座と、を備えており、前記支持座の伸び方向は、前記円弧体が前記支持座と接続する箇所の外接面と垂直に設けられる
ことを特徴とする、タワーとフランジを縦方向に接合するためのフレーム装置。
【考案の詳細な説明】
【技術分野】
【０００１】
本考案は、タワーとフランジを縦方向に接合する分野に関し、特に、タワーとフランジを縦方向に接合するためのフレーム装置に関する。
【背景技術】
【０００２】
従来、タワーにフランジを取り付ける時に、フランジをローラースタンドの上に置いて横方向の溶接で取り付ける。風力発電プロジェクトタワーの直径がますます大きくなるにつれて、建造中において自重により起きた永久歪もますます深刻になっているとともに、大直径のタワーフランジの溶接変形及び内傾度の変化という問題もますます目立つようになり、所有者のフランジ溶接後の平坦性、楕円率及び内傾度に対する要求を満たすことが難しい。そのため、どうやって以上の難題を解決できるかがタワー建造の品質を保証するキーポイントである。現在、この難題を解決するために、タワーとフランジを縦方向に接合して取り付ける方法が提案されているが、タワーとフランジを縦方向に接合する時にフランジを置くためのフレーム装置が必要である。
【０００３】
従来のタワーとフランジを縦方向に接合するためのフレーム装置は、複数の円形構造の台座組立体で構成され、フランジは台座組立体の上に位置され、フランジとタワーの直径が違うため、フランジを取り付けるたびに、ベースグループの位置を変更して、異なる直径を有するタワーとフランジとの接合を満たさないといけない。また、フレーム装置の位置を変更する場合、多数のフレーム装置が円形構造を形成することを確保できなく、時間と工夫が必要になり、作業効率が低下する。
【考案の概要】
【考案が解決しようとする課題】
【０００４】
本考案は、前記先行技術における欠点を解消し、構造が簡単で、異なる直径を有するタワーシェルとフランジとの接合を満たして、作業効率を向上させるタワーとフランジを縦方向に接合するためのフレーム装置を提供することを目的とする。
【課題を解決するための手段】
【０００５】
本考案は、その課題を解決するために以下のものを採用する。
【０００６】
本考案は、タワーとフランジを縦方向に接合するためのフレーム装置であって、
前後左右に配置されている四つの円弧体を備えており、その四つの円弧体が接続して円形構造になり、隣接する二つの円弧体同士は延伸組立体によって可動に接続される延伸機構と、
円弧体の外縁に設けられる複数の台座組立体を備える台座機構と、を備える。
【０００７】
本考案の更なる改良は、延伸組立体は、隣接する二つの円弧体を接続するコネクタを備えており、コネクタの両端は、それぞれ、円弧体内に可動に設けられており、コネクタは円弧状の構造であるとともに、円弧体と同心に設けられ、円弧体の両端の内壁に、それぞれ均一に配列される複数のボールが設けられ、コネクタの外側がボールの内側において可動的に設けられ、コネクタの両端には、コネクタより突出する止め具がそれぞれ設けられ、そして、円弧体の両端には、奥に窪んで配置される制限板がそれぞれ設けられる。
【０００８】
本考案の更なる改良は、円弧体の両側に位置される台座と、台座の上に位置される支持座と、を備えており、支持座の延伸方向は、円弧体が支持座と接続する箇所の外接面と垂直に設けられる。
【０００９】
本考案の更なる改良は、支持座は「エ」状の構造であり、台座の上にある第一横方向部と、第一横方向部の上の中心にある縦方向部と、縦方向部の上にある第二横方向部と、を備えており、第一横方向部と、第二横方向部とが水平にかつ互いに平行に設けられ、縦方向部の両側はそれぞれ前後に傾いて設置されている支持ロッドがある。
【００１０】
本考案の更なる改良は、円弧体の外縁と台座の内縁とは、溶接によって接続される。
【００１１】
本考案の更なる改良は、第二横方向部の上面に緩衝パッドが設けられる。
【考案の効果】
【００１２】
以下、本考案は従来技術に対して以下の有利な効果を説明する。
【００１３】
１．本考案において、延伸機構と台座機構とを備えており、構造が簡単で、延伸機構は四つの円弧体１が可動的に接続することで形成され、台座機構が常に円形状に拡大したり縮小したりしやすくするため、作業者は台座組立体の位置を変更することがなく、異なる直径を有するタワーとフランジとの接合を満たしやすくし、多くの時間と工夫が必要とされず、作業効率を向上することができる。
【００１４】
２．本考案において、延伸組立体は、コネクタ、ボール、止め具及び制限板を備えており、ボールは、コネクタが円弧体において可動的に接続しやすくし、止め具及び制限板は制限固定の役目を果たし、コネクタの動作過程において円弧体１が離れることを防止することができる。
【００１５】
３．本考案において、台座組立体の支持座の延伸方向は、円弧体が支持座と接続する箇所の外接面と垂直に設けられ、支持の安定性を確保することができる。
【００１６】
４．本考案において、支持座は「エ」状の構造であり、支持座の両側に支持ロッドがあり、台座組立体の支持安定性をさらに向上することができる。
【００１７】
５．本考案において、円弧体の外縁と台座の内縁とは、溶接によって接続され、延伸機構と台座機構との接続安定性を向上し、台座機構は延伸機構の延伸に従って拡大したり縮小したりしやすくすることができる。
【００１８】
６．本考案において、第二横方向部の上面に緩衝パッドが設けられ、緩衝パッドはフランジに対して緩衝の役目を果たし、フランジと台座組立体とを接続する過程において摩擦で破損されることを防止することができる。
【図面の簡単な説明】
【００１９】
【図１】図１は、本考案に係るタワーとフランジを縦方向に接合するためのフレーム装置の構成概略図。
【図２】図２は、本考案に係るタワーとフランジを縦方向に接合するためのフレーム装置の台座組立体の構成概略図。
【考案を実施するための形態】
【００２０】
本考案に対する理解を深めるために、図面及び実施例に基づいて、本考案をさらに説明する。また、当該実施例は本考案を解釈するものだけであり、本考案の保護範囲の限定にならない。
【００２１】
図１に示されるように、本実施例に係るタワーとフランジを縦方向に接合するためのフレーム装置は、
前後左右に配置されている四つの円弧体１を備えており、その四つの円弧体１が接続して円形構造になり、隣接する二つの円弧体１同士は延伸組立体によって可動に接続される延伸機構と、
円弧体１の外縁に設けられる複数の台座組立体を備える台座機構と、を備える。
【００２２】
図２に示されるように、延伸組立体は、隣接する二つの円弧体１を接続するコネクタ２を備えており、コネクタ２の両端は、それぞれ、円弧体１内に可動に設けられており、コネクタ２は円弧状の構造であるとともに、円弧体１と同心に設けられ、円弧体１の両端の内壁に、それぞれ均一に配列される複数のボール３が設けられ、コネクタ２の外側がボール３の内側において可動的に設けられ、コネクタ２の両端にはコネクタ２より突出する止め具４がそれぞれ設けられ、そして、円弧体１の両端には、奥に窪んで配置される制限板５がそれぞれ設けられ、ボール３は、コネクタ２が円弧体１において可動的に接続しやすくするためであり、止め具４及び制限板５は制限固定の役目を果たし、コネクタ２の動作過程において円弧体１が離れることを防止することができる。
【００２３】
台座組立体は、円弧体１の両側に位置される台座６と、台座６の上に位置される支持座７と、を備えており、支持座７の延伸方向は、円弧体１が支持座７と接続する箇所の外接面と垂直に設けられ、支持の安定性を確保することができる。
【００２４】
支持座７は「エ」状の構造であり、台座の上にある第一横方向部と、第一横方向部の上の中心にある縦方向部と、縦方向部の上にある第二横方向部と、を備えており、第一横方向部と、第二横方向部とが水平にかつ互いに平行に設けられ、縦方向部の両側はそれぞれ前後に傾いて設置されている支持ロッド８があり、台座組立体の支持安定性をさらに向上することができる。
【００２５】
円弧体１の外縁と台座６の内縁とは、溶接によって接続され、延伸機構と台座機構との接続安定性を向上し、台座機構は延伸機構の延伸に従って拡大したり縮小したりしやすくする。
【００２６】
第二横方向部の上面に緩衝パッド９が設けられ、緩衝パッド９はフランジ１０に対して緩衝の役目を果たし、フランジ１０と台座組立体とを接続する過程において摩擦で破損されることを防止することができる。
【００２７】
本考案は、延伸機構と台座機構とを備えており、構造が簡単で、延伸機構は四つの円弧体１が可動的に接続することで形成され、台座機構が常に円形状に拡大したり縮小したりしやすくするため、作業者は台座組立体の位置を変更することがなく、異なる直径を有するタワーとフランジとの接合を満たしやすくし、多くの時間と工夫が必要とされず、作業効率を向上することができる。
【００２８】
当業者にとっては、本考案は上記した実施例に限定されず、以上に述べた実施例と明細書の記述はただ本考案の原理を説明するもので、本考案の趣旨と範囲を脱逸しない限り、本考案はさらにほかの色々な変化と改良があり、これらの変化と改良は本考案の保護請求している範囲にあると理解すべきである。本考案が保護請求している範囲は、付いている請求の範囲とその均等するものによって定められる。
【符号の説明】
【００２９】
１：円弧体、２：コネクタ、３：ボール、４：止め具、５：制限板、６：台座、７：支持座、８：支持ロッド、９：緩衝パッド、１０：フランジ。
【図１】
0003220738.tif 000003
【図２】
0003220738.tif 000004